(57)【要約】【課題】書き込みコマンドに対して、遅延なく応答する光ディスクドライブ装置を実現する。【解決手段】  光ディスクドライブ１０は、光ディスクＰＤよりも書き込み遅延の少ないメモリ１４を備えている。そして、光ディスクＰＤ上の特定の領域にデータを書き込む書き込みコマンドをホスト装置から取得したとき、そのデータをメモリ１４に書き込むと共に、ホスト装置に書き込み完了通知を返す。【選択図】図１
2010238336.tif 000002
【特許請求の範囲】
【請求項１】
第１の記録媒体にデータを記録する記録装置であって、
上記第１の記録媒体よりも書き込み遅延の少ない第２の記録媒体と、
上記第１の記録媒体上の特定の領域に特定のデータを書き込む書き込みコマンドに応じて、該特定のデータを上記第２の記録媒体に書き込むと共に、該書き込みコマンドの発行元に書き込み完了通知を返す仮書込手段と、
上記仮書込手段によって上記第２の記録媒体に書き込まれた上記特定のデータを、上記第１の記録媒体上の上記特定の領域に書き込む本書込手段と、を備えていることを特徴とする記録装置。
【請求項２】
上記本書込手段が、上記第１の記録媒体上の上記特定の領域に上記特定のデータを正しく書き込めなかったときに、上記特定の領域とは異なる上記第１の記録媒体上の他の領域に上記特定のデータを書き込み直し、当該他の領域を上記書き込みコマンドの発行元に通知する再配置手段をさらに備えている、ことを特徴とする請求項１に記載の記録装置。
【請求項３】
上記本書込手段が、上記第１の記録媒体上の上記特定の領域に上記特定のデータを正しく書き込めなかったときに、上記特定の領域を上記書き込みコマンドの発行元に通知する再配置手段をさらに備えている、ことを特徴とする請求項１に記載の記録装置。
【請求項４】
上記第１の記録媒体は光ディスクである、ことを特徴とする請求項１から３までの何れか１項に記載の記録装置。
【請求項５】
上記第２の記録媒体はフラッシュメモリである、ことを特徴とする請求項１から４までの何れか１項に記載の記録装置。
【請求項６】
上記第２の記録媒体の記録容量が、上記第１の記録媒体の記録容量以上である、ことを特徴とする請求項１から５までの何れか１項に記載の記録装置。
【請求項７】
第１の記録媒体よりも書き込み遅延の少ない第２の記録媒体を備えた記録装置において、上記第１の記録媒体にデータを記録する記録方法であって、
上記第１の記録媒体上の特定の領域に特定のデータを書き込む書き込みコマンドを取得したとき、該特定のデータを上記第２の記録媒体に書き込むと共に、該書き込みコマンドの発行元に書き込み完了通知を返す仮書込ステップと、
上記仮書込ステップにて上記第２の記録媒体に書き込まれた上記特定のデータを、上記第１の記録媒体上の上記特定の領域に書き込む本書込ステップと、を有していることを特徴とする記録方法。
【請求項８】
コンピュータを請求項１から６までの何れか１項に記載の記録装置として動作させるためのプログラムであって、上記コンピュータを上記記録装置が備えている上記各手段として機能させるプログラム。
【請求項９】
請求項８に記載のプログラムを記録したコンピュータ読み取り可能な記録媒体。
【発明の詳細な説明】
【技術分野】
【０００１】
本発明は、記録媒体にデータを記録する記録装置および記録方法に関する。
【背景技術】
【０００２】
現在、様々な記録媒体が実用化されているが、なかでも、ＢＤ（Blu-ray Disc）、ＤＶＤ（Digital Versatile Disc）、ＣＤ（Compact Disc）などの光ディスクは、映像記録用やデータ記録用など様々な用途に広く活用されている。
【０００３】
しかしながら、これらの光ディスクは、ハードディスクやフラッシュメモリと比べて、書き込み速度が遅いため、光ディスクドライブ装置においては、先に取得した書き込みコマンドに従った書き込み処理が完了するのを待たずに、次の書き込みコマンドを受け付ける仕組みを採用することが一般的である。この場合、光ディスクドライブ装置は、遅延エラー情報をホスト装置に通知することになる。
【０００４】
例えば、特許文献１には、ホスト装置から発行された書き込みコマンドを書き込むべきデータと共にバッファに蓄積し、バッファに蓄積された書き込みコマンドを順次実行する光ディスクドライブ装置（記録装置）が開示されている。この光ディスクドライブ装置は、書き込みコマンドの実行中に書き込みエラーが発生すると、バッファに蓄積された書き込みコマンドを破棄したうえで、ホスト装置に遅延エラー情報を送信する。
【先行技術文献】
【特許文献】
【０００５】
【特許文献１】特開２００６−２１６２０７号公報（公開日：２００６年８月１７日）
【発明の概要】
【発明が解決しようとする課題】
【０００６】
上記従来の光ディスクドライブ装置は、上述したとおり、ホスト装置から書き込みコマンドを取得しても、取得した書き込みコマンドを直ちに実行するのではなく、バッファに蓄積されている先に取得した書き込みコマンドから順に実行していく。
【０００７】
したがって、ホスト装置は、書き込みコマンドを発行しても直ちに書き込みが成功したのか失敗したのかを知ることができず、先の書き込みが成功したことを仮定して次の書き込みコマンドを発行し続けることになる。書き込みエラーが発生すれば、光ディスクドライブ装置から遅延エラー情報が通知されるが、これは過去に発行した書き込みコマンドの実行結果を示すものである。したがって、ホスト装置が認識しているファイルシステムと光ディスク上の実際のファイルシステムとの整合を図るために、ホスト装置は、遅延エラー情報に基づく複雑な遅延エラー処理を行わなくてはならない。
【０００８】
このため、光ディスクドライブ装置を利用するホスト装置の開発は、ハードディスクドライブやフラッシュメモリなど書き込み遅延のない記録装置を利用するホスト装置の開発と比べて困難であるという問題があった。
【０００９】
本発明は、上記課題に鑑みてなされたものであり、その目的は、ホスト装置側で書き込み遅延を考慮した処理を実行する必要のない記録装置を実現することにある。
【課題を解決するための手段】
【００１０】
上記課題を解決するために、本発明に係る記録装置は、第１の記録媒体にデータを記録する記録装置であって、上記第１の記録媒体よりも書き込み遅延の少ない第２の記録媒体と、上記第１の記録媒体上の特定の領域に特定のデータを書き込む書き込みコマンドに応じて、該特定のデータを上記第２の記録媒体に書き込むと共に、該書き込みコマンドの発行元に書き込み完了通知を返す仮書込手段と、上記仮書込手段によって上記第２の記録媒体に書き込まれた上記特定のデータを、上記第１の記録媒体上の上記特定の領域に書き込む本書込手段と、を備えていることを特徴としている。
【００１１】
また、上記課題を解決するために、本発明に係る記録方法は、第１の記録媒体よりも書き込み遅延の少ない第２の記録媒体を備えた記録装置において、上記第１の記録媒体にデータを記録する記録方法であって、上記第１の記録媒体上の特定の領域に特定のデータを書き込む書き込みコマンドを取得したとき、該特定のデータを上記第２の記録媒体に書き込むと共に、該書き込みコマンドの発行元に書き込み完了通知を返す仮書込ステップと、上記仮書込ステップにて上記第２の記録媒体に書き込まれた上記特定のデータを、上記第１の記録媒体上の上記特定の領域に書き込む本書込ステップと、を有していることを特徴としている。
【００１２】
上記構成によれば、ホスト装置が書きコマンドを発行すると、上記記録装置はデータを上記第２の記録媒体に仮書き込みし、書き込み完了通知をホスト装置に返す。したがって、ホスト装置からは、高々第２の記録媒体の書き込み遅延をもった記録装置に見える。一方で、上記記録装置は、上記第２の記録媒体に書き込んだデータを上記第１の記録媒体に書き込み直す。したがって、最終的には、ホスト装置側で把握されている上記第１の記録媒体の状態と、上記第１の記録媒体の実際の状態との間の不整合は解消される。したがって、ホスト装置側で書き込み遅延を考慮する必要のない記録装置を実現できるという効果を奏する。
【００１３】
本発明に係る記録装置においては、上記本書込手段が、上記第１の記録媒体上の上記特定の領域に上記特定のデータを正しく書き込めなかったときに、上記特定の領域とは異なる上記第１の記録媒体上の他の領域に上記特定のデータを書き込み直し、当該他の領域を上記書き込みコマンドの発行元に通知する再配置手段をさらに備えている、ことが好ましい。
【００１４】
上記構成によれば、仮に上記第１の記録媒体上の上記特定の領域に上記特定のデータを書き込めなかった場合であっても、上記第１の記録媒体上の上記他の領域に上記特定のデータを書き込むことができる。したがって、仮に上記第１の記録媒体上の上記特定の領域に上記特定のデータを書き込めなかった場合であっても、上記特定のデータを上記第１の記録媒体に記録することができる。しかも、上記他の領域がホスト装置に通知されるので、ホスト装置は、ホスト装置側で把握されている上記第１の記録媒体の状態と、上記第１の記録媒体の実際の状態との間の不整合を解消することができる。
【００１５】
本発明に係る記録装置においては、上記本書込手段が、上記第１の記録媒体上の上記特定の領域に上記特定のデータを正しく書き込めなかったときに、上記特定の領域を上記書き込みコマンドの発行元に通知する再配置手段をさらに備えている、ことが好ましい。
【００１６】
上記構成によれば、仮に上記第１の記録媒体上の上記特定の領域に上記特定のデータを書き込めなかった場合であっても、上記特定のデータを書き込むことができなかった領域をホスト装置が把握することができる。これにより、ホスト装置は、上記特定の領域とは異なる上記第１の記録媒体上の他の領域に上記特定のデータを書き込む書き込む書き込みコマンドを上記記録装置に発行することができる。これにより、上記第１の記録媒体に上記特定のデータを書き込むことができる。
【００１７】
なお、上記第１の記録媒体は光ディスクであることが好ましい。また、上記第２の記録媒体は、フラッシュメモリであることが好ましい。
【００１８】
また、上記第２の記録媒体の記録容量は、上記第１の記録媒体の記録容量以上である、ことが好ましい。
【００１９】
上記構成によれば、上記第１の記録媒体に記録し得るすべてのデータを上記第２の記録媒体に書き込んでおくことができる。したがって、本書き込み時の書き込みエラーをまったく発生させることなく、上記第２の記録媒体に長大なデータを記録することができる。このため、ホスト装置は、本書き込み時に発生し得る書き込みエラーに対する対処を、上記第２の記録媒体への記録が終了してから余った演算資源を用いて行なうことができる。
【００２０】
また、本発明に係る記録装置を動作させるためのプログラム、および、このプログラムを記録したコンピュータ読み取り可能な記録媒体も本発明の範疇に含まれる。
【発明の効果】
【００２１】
以上のように、本発明に係る記録装置は、第１の記録媒体にデータを記録する記録装置であって、上記第１の記録媒体よりも書き込み遅延の少ない第２の記録媒体と、上記第１の記録媒体上の特定の領域に特定のデータを書き込む書き込みコマンドに応じて、該特定のデータを上記第２の記録媒体に書き込むと共に、該書き込みコマンドの発行元に書き込み完了通知を返す仮書込手段と、上記仮書込手段によって上記第２の記録媒体に書き込まれた上記特定のデータを、上記第１の記録媒体上の上記特定の領域に書き込む本書込手段と、を備えている。
【００２２】
ホスト装置が書きコマンドを発行すると、上記記録装置は上記特定のデータを上記第２の記録媒体に仮書き込みし、書き込み完了通知をホスト装置に返す。したがって、ホスト装置側で書き込み遅延を考慮する必要のない記録装置を実現できるという効果を奏する。
【図面の簡単な説明】
【００２３】
【図１】第１の実施形態に係る光ディスクドライブ装置の構成を示すブロック図である。
【図２】第１の実施形態に係る光ディスクドライブ装置の動作例を示すシーケンス図である。
【図３】第１の実施形態に係る光ディスクドライブ装置の他の動作例を示すシーケンス図である。
【図４】第１の実施形態に係る光ディスクドライブ装置の他の動作例を示すシーケンス図である。
【図５】第１の実施形態に係る光ディスクドライブ装置の他の動作例を示すシーケンス図である。
【図６】第２の実施形態に係るレコーダ装置の要部構成を示すブロック図である。
【図７】ドライブ部に備えられた記憶部の初期化処理を示す図であり、（ａ）は記憶部の初期化の際の表示装置における表示の一例を示す図であり、（ｂ）は初期化処理後の記憶部を模式的に示す図である。
【図８】光ディスクの登録処理を示す図であり、（ａ）は光ディスクの登録処理の際の表示装置における表示の一例を示した図であり、（ｂ）は光ディスクの登録処理後の記憶部を模式的に示した図である。
【図９】第２の実施形態に係るレコーダ装置における予約登録処理を示す図であり、（ａ）は予約登録処理後の記憶部の状態を模式的に示した図であり、（ｂ）は予約登録処理後の記憶部およびマイディスクの状態を模式的に示した図であり、（ｃ）は予約登録処理の際の表示装置における表示の一例を示した図である。
【図１０】マイディスクが装填されている状態での録画処理を示す図であり、（ａ）は録画処理後の記憶部およびマイディスクの状態を模式的に示した図であり、（ｂ）は録画処理後の記憶部の状態を模式的に示した図である。
【図１１】コンテンツ１を録画した際の各記憶部の状態を示す図であり、（ａ）は領域１におけるコンテンツの記録状態に対応するディスク１の記録状態の対応関係を示す図であり、（ｂ）はコンテンツ１を記録した際のマップテーブルを示す図であり、（ｃ）はコンテンツ１を記録した際のタイトル管理テーブルを示す図である。
【図１２】第２の実施形態に係るレコーダ装置においてマイディスクが装填されていない状態での録画処理を示す図であり、（ａ）は録画処理後の記憶部の状態を模式的に示した図であり、（ｂ）は録画処理後の記憶部の状態を模式的に示した図である。
【図１３】コンテンツ２を録画した際の各記憶部の状態を示す図であり、（ａ）は領域１におけるコンテンツの記録状態に対応するディスク１の記録状態の対応関係を示す図であり、（ｂ）はコンテンツ２を記録した際のマップテーブルを示す図であり、（ｃ）はコンテンツ２を記録した際のタイトル管理テーブルを示す図である。
【図１４】コンテンツの同期処理後の記憶部およびディスク１の状態を示す図である。
【図１５】コンテンツ２を同期処理した際の各記憶部の状態を示す図であり、（ａ）は領域１におけるコンテンツの記録状態に対応するディスク１の記録状態の対応関係を示す図であり、（ｂ）はコンテンツ２を同期処理させた際のマップテーブルを示す図であり、（ｃ）はコンテンツ２を同期処理させた際のタイトル管理テーブルを示す図である。
【図１６】コンテンツ２を同期処理した際の各記憶部の状態を示す図であり、（ａ）は仮想ディスクイメージにおけるコンテンツ２の先頭アドレスを先頭アドレスとするコンテンツ３がディスク１に記録されている状態を示す図であり、（ｂ）はコンテンツ２をコンテンツ３に続くように仮想ディスクイメージを変更した状態を示す図であり、（ｃ）はコンテンツ２を同期処理させた際のマップテーブルを示す図であり、（ｄ）はコンテンツ２を同期処理させた際のタイトル管理テーブルを示す図である。
【図１７】領域１に記録されていたコンテンツ１およびコンテンツ２を削除した後に、新たにコンテンツ４を録画したときの記憶部およびディスク１の状態を示す図である。
【図１８】コンテンツ４を録画した際の各記憶部の状態を示す図であり、（ａ）は領域１におけるコンテンツの記録状態に対応するディスク１の記録状態の対応関係を示す図であり、（ｂ）はコンテンツ４を記録した際のマップテーブルを示す図であり、（ｃ）はコンテンツ４を記録した際のタイトル管理テーブルを示す図である。
【図１９】コンテンツ１〜３を記録したディスク１が装填されている場合の各記憶部の状態を示す図である。
【図２０】マイディスクが装填されている場合において、再生時にコンテンツが読み出される媒体を模式的に示した図である。
【図２１】ドライブ部に光ディスクが装填されていない場合の各記憶部の状態を示す図である。
【図２２】マイディスクが装填されていない場合において、再生時にコンテンツが読み出される媒体を模式的に示した図である。
【図２３】マイディスクが装填されている場合において、コンテンツが編集される媒体を模式的に示した図である。
【図２４】コンテンツが編集される媒体を模式的に示した図であり、（ａ）はディスク１が装填されていないときの編集対象となる媒体を示しており、（ｂ）はディスク１が装填されたときの変更箇所のディスク１への反映を示している。
【図２５】第２の実施形態に係るレコーダ装置におけるメモリ内コピー処理を示す図であり、（ａ）は、メモリ内コピー処理後の記憶部の状態を示す図であり、（ｂ）はメモリ内コピー処理後の記憶部におけるタイトル管理領域の状態を示す図である。
【図２６】ファイルシステムを用いたデータ管理を示す図であり、（ａ）はファイルシステム管理領域に記録されたファイルシステムの一例を示し、（ｂ）は領域１におけるコンテンツの記録状態に対応するディスク１の記録状態の対応関係を示し、（ｃ）はコンテンツ１を構成するファイルのマップテーブルを示す図である。
【図２７】表示装置におけるコンテンツおよびタイトルリストに記録されている情報の表示を概略的に示す図である。
【発明を実施するための形態】
【００２４】
〔実施形態１〕
本発明の第１の実施形態に係る記録装置について、図面に基づいて説明すれば以下のとおりである。なお、本実施形態に係る記録装置は、光ディスクにデータを書き込む記録装置と実現されているので、以下ではこれを光ディスクドライブ装置と呼称する。光ディスクとしては、ＢＤ（Blu-ray Disc）、ＤＶＤ（Digital Versatile Disc）、ＣＤ（Compact Disc）などが想定される。ただし、本発明はこれに限定されず、書込み遅延を有する記録媒体にデータを書き込む記録装置一般に適用することができる。
【００２５】
＜光ディスクドライブ装置の構成＞
まず、光ディスクドライブ装置１０の構成について、図１を参照して説明する。図１（ａ）は、光ディスクドライブ装置１０の構成を示すブロック図であり、図１（ｂ）は、ドライブ制御部１２の構成を示す機能ブロック図である。
【００２６】
図１（ａ）に示したように、光ディスクドライブ装置１０は、インターフェース部１１と、ドライブ制御部１２と、光ディスクドライブ部１３と、メモリ１４とを備えている。
【００２７】
インターフェース部１１は、ホスト装置から発せられたコマンドを取得するための手段であり、例えば、ＡＴＡＰＩ（ATA Packet Interface）、ＡＴＡ（Advanced Technology Attachment）、またはＳＡＴＡ（Serial Advanced Technology Attachmen）インタフェースを用いて構成することができる。インターフェース部１１が取得するコマンドしては、光ディスクＰＤにデータを書き込む書き込みコマンドや、光ディスクＰＤからデータを読み出す読み出しコマンドなどが挙げられる。書き込みコマンドには、データを書き込むべき光ディスクＰＤ上の領域を指定するディスク領域指定情報（例えば、論理ブロックアドレス）が含まれる。また、読み出しコマンドには、データを読み出すべき光ディスクＰＤ上の領域を指定するディスク領域指定情報（例えば、論理ブロックアドレス）が含まれる。
【００２８】
ドライブ制御部１２は、インタフェース部１１にて取得したコマンドに応じて光ディスクドライブ装置１０の各部を制御するための手段であり、例えば、ＣＰＵ（Central Processing Unit）を用いて構成することができる。この場合、ＣＰＵをドライブ制御部１２として機能させるためのプログラムは、例えば、メモリ１４に記憶しておけばよい。ドライブ制御部１２は、図１（ｂ）に示したように、仮書込手段１２ａと、読出手段１２ｂと、本書込手段１２ｃと、再配置手段１２ｄとを含む。ドライブ制御部１２の制御により実現される光ディスクドライブ１の動作については、参照する図面を代えて後述する。
【００２９】
光ディスクドライブ部１３は、光ディスクドライブ１に装填された光ディスクＰＤに記録マークを形成することによって光ディスクＰＤにデータを書き込んだり、光ディスクＰＤに形成された記録マークを読み取ることによって光ディスクＰＤに書き込まれたデータを読み出したりするための手段である。光ディスクドライブ部１３は、例えば、光ヘッド（光ピックアップ装置）やスピンドルモータなどにより構成することができる。
【００３０】
メモリ１４は、光ディスクＰＤに記録するべきデータなどを一時的に記憶するための手段であり、例えば、不揮発性メモリ（より具体的にはフラッシュメモリ）により構成することができる。なお、ハードディスクドライブなど、光ディスクドライブ部１３と比べて書き込み遅延の小さい任意の記憶装置をメモリ１４の代わりに利用しても、本発明の本質的効果が損なわれることはない。ただし、フラッシュメモリなどの半導体メモリを利用することにより、書き込み速度の向上や消費電力の削減などの副次的効果を得ることができる。また、不揮発性メモリを利用する場合には、電源断時にも光ディスクに書き込むべきデータを保持しておくことができるというメリットがある。
【００３１】
また、メモリ１４の記録容量は任意であるが、メモリ１４の記録容量が光ディスクＰＤの記録容量以上であれば、本書き込みを行ってメモリを開放せずとも、光ディスクＰＤに記録し得るすべてのデータをメモリ１４に書き込んでおくことができる。すなわち、まったくエラーを発生させることなく光ディスクＰＤにデータを書き込むことができる。このため、例えば、レコーダ装置（ホスト装置）に内蔵された光ディスクドライブ装置１０を用いて長時間に渡る番組録画を行なうような場合、レコーダ装置は一度もエラー処理を行うことなく番組録画を完了することができる。そして、本書き込み時に発生しえる書き込みエラーに対する対処は、番組録画を完了してから余った演算資源を用いて行なえばよい。
【００３２】
＜光ディスクドライブ装置１０の動作＞
次に、光ディスクドライブ１の動作について、図２および図３を参照して説明する。図２は、光ディスクドライブ装置１０の動作例を示すシーケンス図であり、図３は、その変形例を示すシーケンス図である。
【００３３】
図２に示したように、インタフェース部１１が書き込みコマンドを取得すると、ドライブ制御部１２の仮書込手段１２ａが、その書き込みコマンドと共にホスト装置から与えられたデータをメモリ１４に書き込み（図１（ａ）の経路Ａ参照：これを以下では「仮書き込み」と称する）、メモリ１４への書き込みが完了し次第、ホスト装置に書き込み完了通知（ＡＣＫ）を返す。これにより、ホスト装置からは、光ディスクＰＤに対するデータの書き込みが遅延なく完了したように見える。この際、仮書込手段１２ａは、書き込みコマンドに含まれるディスク領域指定情報（すなわち、そのデータを書き込むべき光ディスクＰＤ上の領域を指定する領域指定情報）と、そのデータを書き込んだメモリ１４上の領域を指定するメモリ領域指定情報とを関連付けて、メモリ１４に保存された仮想化テーブルに登録する。
【００３４】
また、図２においては省略されてるが、インターフェース部１１が読み出しコマンドを取得すると、ドライブ制御部１２の読出手段１２ｂが、その読み出しコマンドに含まれるディスク領域指定情報により指定された光ディスクＰＤ上の領域に書き込まれたデータを読み出すよう光ディスクドライブ部１３を制御する。読み出されたデータは、ホスト装置に返される。ただし、そのディスク領域指定情報が仮想化テーブルに登録されている場合には、仮想化テーブルにおいてそのディスク領域指定情報に関連付けられているメモリ領域指定情報により指定されたメモリ１４上の領域に書き込まれたデータを読み出し、読み出したデータをホスト装置に返す。これにより、ホスト装置は、読み出すべきデータが光ディスクＰＤに書き込まれているのかメモリ１４に書き込まれているのかを意識することなく、同一の読み出しコマンドにより読み出すべきデータを正しく読み出すことができる。つまり、仮想化テーブルを利用することによって、メモリ１４を光ディスクＰＤの仮想ディスクとして利用することができる。
【００３５】
また、図２に示したように、インターフェース部１１が本書込コマンドを取得すると、ドライブ制御部１２の本書込手段１２ｃが、仮想化テーブルに登録されたメモリ指定情報の各々について、そのメモリ領域指定情報により指定されたメモリ１４上の領域に書き込まれたデータを、そのメモリ指定情報に関連付けられたディスク領域指定情報により指定された光ディスクＰＤ上の領域に書き込む（図１の経路Ｂ参照：これを以下では「本書き込み」と称する）よう、ディスクドライブ部１３を制御する。また、そのメモリ領域指定情報により指定されたメモリ１４上の領域に書き込まれたデータを消去する。これにより、メモリ１４に仮書き込みされたデータが光ディスクＰＤにコピーされ、光ディスクＰＤへのデータの書き込みが完了する。
【００３６】
なお、ここではホスト装置から本書込コマンドを取得した時点で本書き込みを行なう構成について説明したが、本書き込みを行なうタイミングは、これに限定されるものではない。例えば、光ディスクＰＤを排出する時点で本書き込みを行なうようにしてもよい。また、本書き込み時に電源断が生じた場合には、光ディスクＰＤへの本書き込みが正しく行われていない可能性があるので、電源断後の復帰の際に本書き込みを行うようにしてもよい。さらに、メモリ１４への仮書き込みを行なうのと同時に、光ディスクＰＤへの本書き込みを行なうようにしてもよい。この場合、いったんメモリ１４に書き込んだデータを光ディスクにコピーするのではなく、インタフェース１１を介して取得したデータをそのままディスクドライブ部１３に渡すようにしてもよい。要するに、本書き込みを行なうタイミングは任意である。
【００３７】
ところで、光ディスクドライブ部１３による光ディスクＰＤへのデータの本書き込みは、光ディスクドライブ部１３に内蔵された光ヘッドから射出されたビームによって、指定された光ディスクＰＤ上の領域に記録マークを書き込むことにより実現される。したがって、指定された光ディスクＰＤ上の領域に記録マークの書き込みを阻害するような欠陥があると、光ディスクドライブ部１３は、指定された光ディスクＰＤ上の領域に正しく記録マークを書き込むことができない。このため、仮書き込み時に指定された光ディスクＰＤ上の領域への書き込みに成功したことが通知されているにもかかわらず、実際には、指定された光ディスクＰＤ上の領域への書き込みが行われていないという事態が生じえる。つまり、ホスト装置が認識しているファイルシステムと、光ディスクＰＤ上の実際のファイルシステムとの間に齟齬が生じえる。
【００３８】
そこで、ドライブ制御部１２は、再配置手段１２ｄをさらに備えている。本書込手段１２ｃが上述した本書き込みに失敗すると、図２に示したように、再配置手段１２ｄは、本書込手段１２ｃが本書き込みに失敗したデータをメモリ１４から読み出し、本書込手段１２ｃが本書き込みに失敗した領域とは異なる領域に書き込むよう、光ディスクドライブ部１３を制御する。再配置手段１２ｄは、光ディスクＰＤへの本書き込みに成功するまでこれを繰り返す。そして、再配置手段１２ｄは、本書込手段１２ｃが本書込みに失敗した領域を指定する失敗領域指定情報と、本書き込みに成功した領域を指定する成功領域指定情報とを含む再配置情報をホスト装置に通知する。ホスト装置は、この再配置情報に基づいて、光ディスクＰＤ上のファイルシステムとの間に生じた齟齬を埋め合わせることができる。
【００３９】
なお、データをメモリ１４に仮書き込みするのと同時に、光ディスクＰＤに本書き込みする場合、光ディスクドライブ装置１０の動作は、図４に示したようになる。この場合にも、ホスト装置は、この再配置情報に基づいて、光ディスクＰＤ上のファイルシステムとの間に生じた齟齬を埋め合わせることができる。
【００４０】
また、ここでは光ディスクドライブ装置１０側で再配置を行う構成について説明したが、図３に示したように、ホスト装置側で再配置を行う構成に変形することもできる。この場合、ドライブ制御部１２は、本書込手段１２ｃが上述した本書き込みに失敗すると、本書き込みに失敗した領域を指定する失敗領域指定情報をホスト装置に通知する。そして、ホスト装置が、本書き込みに失敗したデータを、本書込手段１２ｃが本書き込みに失敗した領域とは異なる領域に書き込むように指示する書き込みコマンドを光ディスクドライブ装置１０に対して発行する。この構成を採用しても、ホスト装置が認識しているファイルシステムと、光ディスクＰＤ上の実際のファイルシステムとの間に生じえる齟齬を回避することができる。
【００４１】
また、データをメモリ１４に仮書き込みするのと同時に、光ディスクＰＤに本書き込みする場合、光ディスクドライブ装置１０の動作は、図５に示したようになる。この場合にも、ホスト装置は、この再配置情報に基づいて、光ディスクＰＤ上のファイルシステムとの間に生じた齟齬を埋め合わせることができる。
【００４２】
〔実施形態２〕
本発明の第２の実施形態に係る記録装置について、図面に基づいて説明すれば以下のとおりである。なお、本実施形態に係る記録装置は、レコーダ装置に内蔵された光ディスクドライブ装置として実現されているので、以下ではこれをドライブ部と呼称する。なお、このレコーダ装置は、コンテンツを光ディスクに記録する記録機能だけでなく、記録媒体に記録されているコンテンツおよび外部より取得したコンテンツを再生する再生機能を有するレコーダ装置である。
【００４３】
＜レコーダ装置１００の構成＞
本実施形態に係るレコーダ装置の構成について、図６を参照しつつ以下に説明する。図６は、レコーダ装置１００の要部構成を示すブロック図である。
【００４４】
図６に示すように、レコーダ装置１００は、レコーダ装置１００に入力されるコンテンツの再生または記録（録画）全般を実行するバックエンド部２００、ならびに、装填されている光ディスクからのデータの読み出し、および装填されている光ディスクに対するデータの書き込み全般を実行するドライブ部３００を備えている。
【００４５】
ドライブ部３００は、従来の光ディスクドライブ装置が備えている機能に加え、以下の新規な機能を有している。すなわち、（１）ユーザにより指定された複数の光ディスクをマイディスクとして登録する登録機能、（２）マイディスクとして登録された光ディスクに対する書き込み命令がバックエンド部２００から与えられたとき、その光ディスクにデータを書き込むと共に、ドライブ部３００内に設けられたメモリにデータを書き込む書き込み機能（仮書き込み機能）、（３）マイディスクに対する読み出し命令がバックエンド部２００から与えられたときに、その光ディスクからデータを読み出す代わりに、上記メモリからデータを読み出す読み出し機能、（４）マイディスクとして登録された光ディスクに書き込む代わりに上記メモリに書き込まれたデータをその光ディスクに書き込み、上記メモリと上記光ディスクとに記録されているデータを同期させる同期機能（本書き込み機能）、及び、（５）上記メモリに書き込まれたデータを書き込み命令に指定された光ディスク上の領域に書き込むことができなかった場合に、そのデータを他の領域に書き込み直す再配置機能を有している。そして、バックエンド部２００は、これらの新規な機能を利用して、コンテンツの録画、再生、および編集を行なう。以下、このようなバックエンド部２００およびドライブ部３００の構成例について、以下に順に説明する。
【００４６】
バックエンド部２００は、図６に示すように、チューナー部２１０、エンコーダ部２２０、ストリーム処理部２３０、バックエンド制御部２４０、デコーダ部２６０、画像処理部２７０、バッファ部２５０、記憶部２８０およびインターフェース部２９０を備えている。また、図６に示すように、ストリーム処理部２３０、バックエンド制御部２４０、デコーダ部２６０、画像処理部２７０、バッファ部２５０、記憶部２８０およびインターフェース部２９０は、バスラインを介して互いに接続されている。
【００４７】
ドライブ部３００は、図６に示すように、インターフェース部３１０、ドライブ制御部３２０、ディスクドライブ部３３０および記憶部３４０を備えている。また、図６に示すように、インターフェース部３１０、ドライブ制御部３２０、ディスクドライブ部３３０および記憶部３４０は、バスラインを介して互いに接続されている。
【００４８】
本明細書等では、記憶部３４０における各領域に対して対応付けられた光ディスク、すなわち自身の有するメディアＩＤが記憶部３４０に記録されている光ディスクを「マイディスク」と称する。
【００４９】
バックエンド部２００およびドライブ部３００の備える各部材について、以下に説明する。
【００５０】
（チューナー部２１０、エンコーダ部２２０）
チューナー部２１０は、アンテナ部において受信したデジタル放送波（例えば、ＢＳデジタル放送、ＣＳデジタル放送、地上波デジタル放送）から、映像データ、音声データなどが多重化されているストリーム（Transport Stream：ＴＳ）を抽出する。
【００５１】
エンコーダ部２２０は、アンテナ部において受信したアナログ放送、または、外部から入力された映像／音声信号をＭＰＥＧ２−ＴＳ形式またはＭＰＥＧ２−ＰＳ形式にエンコードする。
【００５２】
（ストリーム処理部２３０、バッファ部２５０）
ストリーム処理部２３０は、抽出されたストリームまたはエンコードされたストリームに多重化されている映像データ、音声データなどの個々のデータを分離、抽出すると共に、同じパケット識別子（ＰＩＤ）が付与されているパケット（ＴＳ）のペイロード部を繋ぎ合わせることにより、コンテンツデータ（ＰＥＳパケット）を復元する。また、不図示の通信部によりネットワークを介して入力されるコンテンツデータもストリーム処理部２３０において処理される。
【００５３】
なお、ストリーム処理部２３０において処理されたコンテンツデータは、一時的にバッファ部２５０に格納される。バッファ部２５０は、表示装置またはドライブ部３００に対して出力するコンテンツデータ（映像データ、音声データなど）を一時的に記憶するメモリである。バッファ部２５０は、揮発メモリを用いることが一般的であるが、不揮発性メモリを用いてもよい。
【００５４】
（バックエンド制御部２４０）
バックエンド制御部２４０は、レコーダ装置１００におけるコンテンツデータの記録および再生全般を制御する。
【００５５】
ストリーム処理部２３０において復元したコンテンツデータを、ドライブ部３００に装填されている光ディスクに対して記録する場合、バックエンド制御部２４０は、光ディスクに書き込むための書き込み命令をインタフェース部２９０を介してドライブ制御部３２０に出力すると共に、書き込み対象とするコンテンツデータをバッファ部２５０から読み出してインタフェース部２９０を介してドライブ部３００に対して出力する。
【００５６】
ドライブ部３００に装填されている光ディスクに記録されているコンテンツデータを再生する場合、バックエンド制御部２４０は、ドライブ部３００に対して、コンテンツデータを光ディスクから読み出すための読み出し命令を、インターフェース部２９０を介してドライブ制御部３２０に出力する。このとき、光ディスクから読み出されたコンテンツデータは、バッファ部２５０に一時的に格納される。
【００５７】
また、バックエンド制御部２４０は、バッファ部２５０に格納されているコンテンツデータを表示装置に対して出力する場合には、バッファ部２５０から読み出したコンテンツデータをデコードするようデコーダ部２６０を制御する。
【００５８】
（デコーダ部２６０）
デコーダ部２６０は、バックエンド制御部２４０からの指示を受けて、バッファ部２５０に格納されているコンテンツデータのうち、バックエンド部２００内において生成されるクロック（System Time Clock：ＳＴＣ）の値に一致するタイムスタンプ（ＰＴＳ）が付与されているコンテンツデータを読み出す。そして読み出したコンテンツデータをデコードし、画像処理部２７０に出力する。
【００５９】
（画像処理部２７０）
画像処理部２７０は、フレームレート変換などのような動画像データの表示性能を向上させるため、画素の補間や色調整などの高品質化処理を実行し、高品質化処理を施した動画像データを表示装置（図示しない）に対して出力する。すなわち、画像処理部２７０では、デコーダ部２６０においてデコード（復号）されたフレーム画像から表示装置において実際に表示する際に用いるフレーム画像を生成する。
【００６０】
（記憶部２８０）
記憶部２８０には、バックエンド制御部２４０を動作させるためのプログラム、および、バックエンド制御部２４０が参照する各種データが格納されている。バックエンド制御部２４０により参照されるデータとしては、予約情報およびタイトル管理情報などが挙げられる。予約情報およびタイトル管理情報の詳細については以下に詳述するため、ここではその説明を省略する。なお、記憶部２８０は、電源をオフにしても記録内容の消去されない不揮発性メモリであることが好ましい。
【００６１】
（インターフェース部２９０、３１０）
インターフェース部２９０は、入力されたデータをインターフェース部３１０を介してドライブ部３００に対して出力する。インターフェース部２９０としては、ＳＡＴＡ（Serial AT attachment）などを挙げることができる。なお、ＡＴＡ（AT attachment）は、転送方式がシリアルのＡＴＡであるＳＡＴＡに限定されるものではなく、転送方式がパラレルのＡＴＡであるＰＡＴＡを用いてもよい。
【００６２】
インターフェース部３１０は、入力されたデータをインターフェース部２９０を介してバックエンド部２５０に対して出力する。インターフェース部３１０も、インターフェース部２９０と同様に、ＳＡＴＡ（Serial AT attachment）などとすることができるが、インターフェース部２９０とインターフェース部３１０とは同一規格のインターフェースであることが好ましい。
【００６３】
なお、本実施形態では、インターフェース部２９０、３１０がＳＡＴＡである場合を例に挙げて説明する。
【００６４】
（ドライブ制御部３２０）
ドライブ制御部３２０は、ディスクドライブ部３３０に装填されている光ディスクからのデータの読み出し、および光ディスクへのデータの書き込みを制御すると共に、記憶部３４０からのデータの読み出し、および記憶部３４０へのデータの書き込みを制御する。ドライブ制御部３２０は、第１の実施形態における光ディスクドライブ装置１０が備えているドライブ制御部１２と同様、仮書込手段、本書込手段、読出手段、および、再配置手段として機能する。
【００６５】
ドライブ制御部３２０では、インターフェース部３１０を介して入力されるバックエンド制御部２４０からの命令（光ディスクからのデータ読み出し命令、または光ディスクへのデータ書き込み命令）を、記憶部３４０からのデータ読み出し命令、または記憶部３４０へのデータ書き込み命令に読み換える。しかし、バックエンド制御部２４０からの命令が、記憶部３４０に記憶されていないデータに対する読み出し命令である場合には、ドライブ制御部３２０はバックエンド制御部２４０からの命令を読み換えることなく、装填されている光ディスクからデータを読み出す。
【００６６】
インターフェース部２９０、３１０がＡＴＡインターフェースである場合、バックエンド制御部２４０からの書き込み命令および読み出し命令は、ＡＴＡコマンドとなる。また、本実施形態では、所定の領域に対するデータの書き込み命令を実現するために、記憶部３４０におけるいずれの領域（後述するマイディスク）に対してデータを書き込むのかを表す情報（書き込み対象領域情報）をＡＴＡコマンドに含めてドライブ制御部３２０に出力するようにすることが好ましい。もちろん、書き込み対象領域情報を含めたＡＴＡコマンドを用いる以外にも、書き込み対象領域情報を示すＡＴＡコマンドを出力して記憶部３４０の記録対象領域（対象マイディスク）を指定した後に、書き込み命令および書き込み対象データを表すＡＴＡコマンドをドライブ制御部３４０に出力するようにしてもよい。なお、これは書き込み命令に限るものではなく、読み出し命令についても同様である。
【００６７】
（ディスクドライブ部３３０）
ディスクドライブ部３３０は、ドライブ制御部３２０からの指示に基いて動作し、装填されている光ディスクからのデータの読み出し、または光ディスクに対するデータの書き込みを実行する。
【００６８】
ディスクドライブ部３３０は、装填されている光ディスクからデータを読み出したり、光ディスク対してデータを書き込んだりするための光ピックアップ部などを備えている。
【００６９】
（記憶部３４０）
記憶部３４０は、レコーダ装置１００において光ディスクに対して記録するコンテンツデータなどのデータを記憶するデータメモリである。記憶部３４０におけるコンテンツデータの記録については、下記に詳述するため、ここではその説明を省略する。
【００７０】
なお、記憶部３４０は、光ディスクよりもデータアクセス速度が速いものであれば特に限定されるものではないが、電源をオフにしても記録内容の消去されない不揮発性メモリであることが好ましい。より具体的にはフラッシュメモリを用いることが好ましい。
【００７１】
（レコーダ装置１００の処理動作）
次に、レコーダ装置１００の再生動作、録画動作、ダビング動作などについて説明するが、これらのレコーダ装置１００における各動作の説明に先立って、レコーダ装置１００における事前設定について、図７（ａ）および（ｂ）および図８（ａ）および（ｂ）を参照して説明する。レコーダ装置１００における事前設定は、記憶部３４０の初期化処理と、記憶部３４０に対する光ディスクの登録処理の２つに大別することができる。
【００７２】
＜記憶部３４０の初期化処理＞
記憶部３４０の初期化処理について、図７（ａ）および（ｂ）を参照しつつ説明する。図７（ａ）および（ｂ）は、記憶部３４０の初期化処理を示す図であり、（ａ）は記憶部３４０の初期化の際の表示装置における表示の一例を示す図であり、（ｂ）は初期化処理後の記憶部３４０を模式的に示す図である。
【００７３】
記憶部３４０の初期化処理とは、記憶部３４０における記憶領域を、ユーザーの所望する数のパーティションに仮想的に分割する処理である。なお、記憶部３４０の初期化処理は、記憶部３４０において記憶領域が仮想的に分割されていない場合にのみ実行される処理であるため、既に記憶部３４０における初期化処理が行われている場合には初期化処理は実行されない。
【００７４】
初期化処理は、操作入力部を介したユーザーからの初期化処理の実行指示を受けることにより実行される。すなわち、バックエンド制御部２４０がユーザーからの初期化処理実行指示を受けると、バックエンド制御部２４０はドライブ制御部３２０に対して、記憶部３４０の記憶領域をユーザーの指定する数に仮想的に分割するように指示する。バックエンド制御部２４０からの指示を受けたドライブ制御部３２０は、記憶部３４０を指定された数の領域（パーティション）に仮想的に分割する。記憶部３４０において分割される領域の数は、登録することができるマイディスクの枚数と一致する。このとき、表示装置には、図７（ａ）に示すような画像を表示することが好ましい。
【００７５】
なお、記憶部３４０において仮想的に分割される領域の数は、例えば「ｎ個（枚）」などのようにユーザーにより明示的に指示された数であってもよいし、ユーザーの所望する録画画質に応じて設定される数であってもよい。
【００７６】
図７（ｂ）は、初期化処理後の記憶部３４０を示している。図７（ｂ）に示すように、記憶部３４０は、ユーザーの所望するｎ個の領域（領域１〜領域ｎ）に仮想的に分割されている。また、領域１〜ｎ以外にも記憶部３４０には、領域１〜領域ｎを管理する管理情報の記録されている管理領域が設けられている。
【００７７】
管理領域は、図７（ｂ）に示すように、領域１〜領域ｎを管理するマイディスク管理領域と、マイディスク管理領域を管理するメモリ管理領域と、に分けることができる。
【００７８】
マイディスク管理領域には、領域１〜領域ｎの各領域を管理する管理情報が記録されている。図７（ｂ）では、便宜上、領域１を管理する管理情報の記録されている領域を「エントリ１」と称し、以下同様に領域２〜ｎを管理する管理情報の記録されている領域をエントリ２〜ｎと称する。
【００７９】
領域１を管理するエントリ１には、エントリ番号、割り当てフラグ、メディアＩＤ情報、割り当てエリア情報、メディアキー情報およびマップ情報が記録されている。これらの各情報について以下に説明する。
【００８０】
「エントリ番号」は、いずれの領域を管理するのかを示す情報である。例えば、エントリ１は、領域１を管理する管理情報であるため、エントリ番号としては「１」を示す情報が記録されている。
【００８１】
「割り当てフラグ」は、マイディスクが対応付けられている領域であるか否かを示すフラグである。初期化処理直後の状態では、マイディスクの対応付けは行われていないため、割り当てが行われていないことを示す情報（ここでは、「０」）が記録されている。
【００８２】
「メディアＩＤ」は、光ディスクのメディアＩＤを示す情報である。初期化処理段階では、メディアＩＤの情報は記録されていない。メディアＩＤの情報の記録については、後述の光ディスクの登録処理において説明する。
【００８３】
「割り当てエリア情報」は、各領域として利用することができる記憶部３４０の記録領域を表す情報である。割り当てエリア情報の具体例としては、例えば、各領域の開始アドレスおよび終了アドレスを挙げることができる。また、終了アドレスの代わりに、各領域の記録容量が記録されていてもよい。
【００８４】
「メディアキー情報」は、データを光ディスクに対して記録するときの著作権保護に用いられる暗号化を実行するためのキー情報である。メディアキー情報としては、例えば、ＭＫＢ（Media Key Block）を挙げることができる。
【００８５】
「マップ情報」は、光ディスクに記録されたコンテンツのそれぞれについて、当該コンテンツが記録される光ディスクの領域を示すアドレスである仮想アドレスと、当該コンテンツが記録されている記憶部３４０上の領域を示すアドレスである物理アドレスとの対応付けを示す情報である。マップ情報として記録されているマップテーブルの詳細については、下記で詳述するため、ここでは説明を省略する。
【００８６】
また、メモリ管理領域には、図７（ｂ）に示すように、「エントリ数情報」および「割り当てエリア情報」が記録されている。「エントリ数」は、記憶部３４０において仮想的に分割されている領域の数を示す情報である。「割り当てエリア情報」は、記憶部３４０においてマイディスク管理領域として利用されている領域を表す情報である。
【００８７】
なお、記憶部３４０を領域１〜領域ｎに仮想的に分割した時に生じる余りの領域を予備領域として活用するようにしてもよい。
【００８８】
＜光ディスクの登録処理＞
次に、記憶部３４０に対する光ディスクの登録処理について、図８（ａ）および（ｂ）を参照しつつ説明する。図８（ａ）および（ｂ）は、光ディスクの登録処理を示す図であり、（ａ）は光ディスクの登録処理の際の表示装置における表示の一例を示した図であり、（ｂ）は光ディスクの登録処理後の記憶部３４０を模式的に示した図である。
【００８９】
光ディスクの登録処理とは、記憶部３４０において仮想的に分割されている各領域を管理するエントリに対して、光ディスクのメディアＩＤを記録する処理である。
【００９０】
光ディスクがドライブ部３００に装填されると、ドライブ制御部３２０は、ディスクドライブ部３３０に対して、装填された光ディスクから当該光ディスクのメディアＩＤを読み出すように指示する。ディスクドライブ部３３０が光ディスクからメディアＩＤを読み出すと、ドライブ制御部３２０は、記憶部３４０において読み出したメディアＩＤがマイディスク管理領域におけるエントリに既に記録されているメディアＩＤであるか否かを判定する。
【００９１】
読み出したメディアＩＤがマイディスク管理領域におけるエントリのいずれにも記録されていない場合、ドライブ制御部３２０は、マイディスク管理領域におけるエントリのうち、割り当てフラグが光ディスクの割り当てが行われていないことを示す「０」であるエントリに、読み出したメディアＩＤを記録する。これによって、エントリにおいてメディアＩＤ情報が記録される。なお、メディアＩＤ情報の記録されたエントリにおける割り当てフラグは、メディアＩＤ情報が記録された時点で、割り当てが行われていることを示す「１」に変更される。また、メディアキー情報などの光ディスク固有の情報についても、この時点でメディアＩＤ情報を記録したエントリに対して記録される。
【００９２】
なお、上述した光ディスクの登録処理は、読み出したメディアＩＤが割り当てフラグが「０」であるエントリに自動的に記録される場合を説明しているが、実際にはレコーダ装置１００が、当該メディアＩＤをエントリに記録するか否かをユーザーに問い合わせることが好ましい。この場合、ドライブ制御部３２０は、レコーダ装置１００にメディアＩＤをエントリに記録するとするユーザーからの指示を受けてメディアＩＤを記録する。
【００９３】
また、割り当てフラグが「０」であるエントリが複数存在する場合には、いずれのエントリに対してメディアＩＤを記録するのかをユーザーが選択できるようにしてもよい。この場合、ドライブ制御部３２０は、ユーザーにより指定されたエントリに対してメディアＩＤを記録する。
【００９４】
なお、メディアＩＤをエントリに記録する際には、表示装置に図８（ａ）に示すような画像を表示するようにすることが好ましい。
【００９５】
図８（ｂ）は、メディアＩＤ「ａａａ」を有する光ディスクをエントリ１に記録した場合における光ディスクの登録後の記憶部３４０の状態を示している。
【００９６】
光ディスクのメディアＩＤをエントリ１に記録した場合、図８（ｂ）に示すように、光ディスクはエントリ１により管理される領域１に対して対応付けられることになる。
【００９７】
本明細書等では、記憶部３４０における各領域に対して対応付けられた光ディスク、すなわち自身の有するメディアＩＤが記憶部３４０に記録されている光ディスクを「マイディスク」と称する。また、マイディスクを識別するために、ここでは、領域１に対応付けられたマイディスクを「ディスク１」と称する。以下同様に、領域２〜ｎに対応付けられたマイディスクを「ディスク２〜ｎ」と称する。
【００９８】
＜コンテンツの予約録画動作＞
上述した事前設定の完了しているレコーダ装置１００におけるコンテンツ録画動作、コンテンツ再生動作、コンテンツ編集動作、およびコンテンツコピー動作について、以下に説明する。
【００９９】
レコーダ装置１００におけるコンテンツ録画動作について、図９（ａ）〜（ｃ）〜図１８（ａ）〜（ｃ）を参照して以下に説明する。なお、ここでは、コンテンツ録画動作として、予約録画処理を例に挙げて説明する。
【０１００】
レコーダ装置１００における予約録画処理は、予約登録処理と録画処理との２つに大別することができる。また、録画処理は、マイディスクが装填されている状態での録画処理と、マイディスクが装填されていない状態での録画処理の２つにさらに分けることができる。予約録画処理におけるこれらの処理それぞれについて以下に説明する。
【０１０１】
（予約登録処理）
まず、レコーダ装置１００における予約登録処理について、図９（ａ）〜（ｃ）を参照しつつ以下に説明する。図９（ａ）〜（ｃ）は、レコーダ装置１００における予約登録処理を示す図であり、（ａ）は予約登録処理後の記憶部２８０の状態を模式的に示した図であり、（ｂ）は予約登録処理後の記憶部３４０およびマイディスク１の状態を模式的に示した図であり、（ｃ）は予約登録処理の際の表示装置における表示の一例を示した図である。
【０１０２】
予約登録処理とは、記憶部２８０および光ディスクに対して予約情報を登録する処理である。予約登録処理については、記憶部３４０の領域１に対応付けられたディスク１を装填している場合を例に挙げて説明する。
【０１０３】
ユーザーが操作入力部を介して予約情報を入力すると、バックエンド制御部２４０は、入力された予約情報を記憶部２８０の予約情報管理領域に記録する。このとき、記憶部２８０の予約情報管理領域に記録される予約情報は、図９（ａ）に示すように、「録画チャンネル」、「録画年月日」および「録画時間」と共に、「記録対象マイディスク」の情報を含む。以下、記録対象マイディスク情報として、装填されているマイディスクのメディアＩＤを例に挙げて説明するが、マイディスクを識別可能な情報であれば他の情報であってもよい。なお、予約情報に含まれる各情報は、ユーザーが入力するようにしてもよいし、電子番組表においてユーザーが選択した番組を表す番組情報に基づいて設定するようにしてもよい。
【０１０４】
バックエンド制御部２４０は、予約情報を記憶部２８０に記録すると共に、ドライブ制御部３２０に対して、ドライブ部３００に装填されているディスク１に対して予約情報を書き込むように指示する。ドライブ制御部３２０は、バックエンド制御部２４０からの指示を受けて、ユーザーの設定した予約情報を、ディスク１に記録するようにディスクドライブ部３３０に対して指示する。ディスクドライブ部３３０は、ドライブ制御部３２０からの指示を受けて、ユーザーの設定した予約情報をディスク１の所定の領域（予約情報管理領域）に記録する（図９（ｂ））。このとき、ディスク１には、既にメディアＩＤは記録されているため、メディアＩＤについては記録しなくてもよい。
【０１０５】
なお、予約情報の設定の際にユーザーが記録対象マイディスクを選択することができるようにしてもよい。この場合、ユーザーの選択した記録対象マイディスクがドライブ部３００に装填されていない場合には、予約情報の登録時点で、対象とするマイディスクをドライブ部３００に装填するようにユーザーに対して警告するようにすることが好ましい。
【０１０６】
図９（ｃ）には、記憶部３４０の領域１に対応付けられたディスク１を装填している場合に予約登録した際の表示装置に表示する画像の一例を示している。
【０１０７】
（マイディスクが装填されている場合の録画処理）
次に、記憶部２８０の予約情報管理領域に記録されている予約情報に含まれているメディアＩＤのマイディスクがドライブ部３００に装填されている場合の録画処理について、図１０（ａ）および（ｂ）を参照しつつ以下に説明する。図１０（ａ）および（ｂ）は、マイディスクが装填されている状態での録画処理を示す図であり、（ａ）は録画処理後の記憶部３４０およびマイディスク１の状態を模式的に示した図であり、（ｂ）は録画処理後の記憶部２８０の状態を模式的に示した図である。
【０１０８】
コンテンツ１の録画が完了すると、図１０（ｂ）に示すように、バックエンド制御部２４０は、コンテンツ１の予約録画を示す予約情報を記憶部２８０における予約情報管理領域から消去する。また、コンテンツ１のディスク１への記録が完了すると、ドライブ制御部３２０はディスク１の予約情報管理領域に記録されている予約情報を消去するようにディスクドライブ部３３０に対して指示する。
【０１０９】
次に、コンテンツ１を記憶部３４０の領域１およびディスク１に記録した際の記憶部３４０および記憶部２８０の状態について図１１（ａ）〜（ｃ）を参照しつつ以下に説明する。図１１（ａ）〜（ｃ）は、コンテンツ１を録画した際の記憶部３４０および記憶部２８０の状態を示す図であり、（ａ）は記憶部３４０の領域１におけるコンテンツの記録状態に対応するディスク１の記録状態の対応関係を示す図であり、（ｂ）はコンテンツ１を記録した際のマップテーブルを示す図であり、（ｃ）はコンテンツ１を記録した際のタイトル管理テーブルを示す図である。
【０１１０】
ここで、一般的には、記憶部３４０の領域１とディスク１とのデータ容量は異なる。そのため、領域１では、物理アドレスとは別に、ディスク１におけるアドレスと一致するような仮想アドレスが割り当てられている。この仮想アドレスを用いてデータを読み出したり、書き込んだりすることにより、バックエンド部２００では、記憶部３４０に格納されているコンテンツをドライブ部３００に装填されているディスク１に記録されているかのように扱うことができる。本明細書等では、記憶部３４０の各領域に設定された仮想アドレスを用いて表される記憶領域を「仮想ディスクイメージ」と称する。
【０１１１】
図１１（ａ）には、記憶部３４０の領域１における仮想ディスクイメージを示している。図１１（ａ）に示すように、記憶部３４０の領域１において、物理アドレス「０ｘ０００」を先頭アドレスとしてコンテンツ１（データ容量：ＸＧＢ）が記録されている場合、仮想ディスクイメージ上では、コンテンツ１は仮想アドレス「０ｘ０５０」を先頭アドレスとして記録されている。すなわち、コンテンツ１をディスク１に対して書き込む場合、ドライブ制御部３２０は、ディスクドライブ部３３０に対して、ディスク１のアドレス「０ｘ０５０」を表すセクタからコンテンツ１を書き込むように指示する。これによって、領域１からディスク１に対するコンテンツの記録を容易に実行することができる。
【０１１２】
続いて、図１１（ａ）において示した物理アドレスと仮想アドレスとの関連付けを実現するためのマップテーブルについて、図１１（ｂ）を参照しつつ説明する。
【０１１３】
マップテーブルは、記憶部３４０のマイディスク管理領域におけるマップ情報として記録されている。マップテーブルは、図１１（ｂ）に示すように、コンテンツ毎に、仮想ディスクイメージにおけるマップを表す仮想ディスクマップと、記憶部３４０の領域１におけるマップを表すメモリマップとが関連付けられて記録されている。また、コンテンツに対して、当該コンテンツがマイディスクに記録されているか否かを表す同期フラグが関連付けられて記録されている。
【０１１４】
なお、本明細書等において記憶部３４０のある領域に記録されているコンテンツが、当該ある領域に対応付けられたマイディスクに記録されている状態のことを「同期」と称する。同様に、記憶部３４０のある領域に記録されているコンテンツを、当該ある領域に対応付けられたマイディスクに対して記録される処理を「同期処理」と称する。
【０１１５】
マップテーブルは、コンテンツ１が領域１に記録されると共に内容が更新される。記憶部３４０の領域１が図１１（ａ）に示す状態である場合のマップテーブルを、図１１（ｂ）に示す。図１１（ｂ）に示すように、マップテーブルは、コンテンツ１における仮想ディスクマップにおける先頭アドレスとして「０ｘ０５０」が設定され、データサイズとしてＸＧＢが設定され、メモリマップにおける先頭アドレスとして「０ｘ０００」が設定され、データサイズとしてＸＧＢが設定されている。また、領域１からディスク１への書き込みが完了すると共に、マップテーブルにおける同期フラグが、コンテンツがマイディスクに記録されていることを表す「１」となる。
【０１１６】
このようなマップテーブルを参照することにより、バックエンド制御部２４０からディスク１への書き込み命令を受けたドライブ制御部３２０は、バックエンド制御部２４０から受けたディスク１への書き込み命令を領域１への書き込み命令に変更することができる。また、ディスク１からの読み出し命令の場合も同様に、マップテーブルを参照することにより、領域１からの読み出し命令に変更することができる。
【０１１７】
なお、図１１（ｂ）におけるエントリパラメータとは、エントリ番号、メディアＩＤ情報、割り当てエリア情報などを記録する領域であり、エントリデータ領域とは、メディアキー情報および領域１におけるトラック情報などを記録する領域である。
【０１１８】
また、コンテンツ１が領域１に記録されると共に、記憶部２８０におけるディスク１のタイトル管理領域にタイトル管理情報として記録されているタイトル管理テーブルが更新される。コンテンツ１に関する情報が設定されるコンテンツ管理領域に記録されているタイトル管理テーブルについて、図１１（ｃ）を参照して説明する。なお、タイトル管理領域は、記憶部３４０において仮想的に分割されている領域の数だけ記憶部２８０に設けられている。
【０１１９】
タイトル管理テーブルには、図１１（ｃ）に示すように、各コンテンツを示すタイトル名に対して、コンテンツの再生所要時間、コンテンツの再生画質、コンテンツの残りダビング回数（最大で１０とする）および同期状態を示す情報が関連付けられて記録されている。なお、コンテンツ１を示すタイトルをタイトル１として表記する。同様に、コンテンツ２〜コンテンツｎを示すタイトルをタイトル２〜タイトルｎとして表記する。
【０１２０】
図１１（ｂ）に示したマップテーブルを設定したときのタイトル管理テーブルの一例を、図１１（ｃ）に示している。このとき、タイトル１における残りダビング回数は、コンテンツ１をディスク１へ記録したため、残り１０回から１回減算されて「９」回となっている。
【０１２１】
（マイディスクが装填されていない場合の録画処理）
続いて、記憶部２８０の予約情報管理領域に記録されている予約情報に含まれているメディアＩＤのマイディスクがドライブ部３００に装填されていない場合の録画処理について、図１２（ａ）および（ｂ）を参照しつつ以下に説明する。図１２（ａ）および（ｂ）は、レコーダ装置１００においてマイディスクが装填されていない状態での録画処理を示す図であり、（ａ）は録画処理後の記憶部３４０の状態を模式的に示した図であり、（ｂ）は録画処理後の記憶部２８０の状態を模式的に示した図である。
【０１２２】
レコーダ装置１００において、記憶部２８０の予約情報管理領域に記録されている予約情報により録画されるコンテンツ（コンテンツ２）の録画が開始された時点でドライブ部３００にディスク１が装填されていない場合であっても、バックエンド制御部２４０はコンテンツ２をディスク１に対して記録するようにドライブ制御部３２０に対して指示する。バックエンド制御部２４０からの指示を受けたドライブ制御部３２０は、ディスクドライブ部３２０にディスク１が装填されていないため、バックエンド部２４０からのディスク１への書き込み命令を記憶部３４０の領域１への書き込み命令に変換し、コンテンツ２を領域１に記録（仮書き込み）する。このとき、ディスク１はドライブ部３００に装填されていないため、ディスク１に対してコンテンツ２を記録する処理は実行されない。
【０１２３】
コンテンツ２の録画が終了すると、図１２（ｂ）に示すように、バックエンド制御部２４０は記憶部２８０における予約情報管理領域からコンテンツ２の予約録画を示す予約情報を消去する。
【０１２４】
次に、コンテンツ２を記憶部３４０の領域１に記録した際の記憶部３４０および記憶部２８０の状態について図１３（ａ）〜（ｃ）を参照しつつ以下に説明する。図１３（ａ）〜（ｃ）は、コンテンツ２を録画した際の記憶部３４０および記憶部２８０の状態を示す図であり、（ａ）は記憶部３４０の領域１におけるコンテンツの記録状態に対応するディスク１の記録状態の対応関係を示す図であり、（ｂ）はコンテンツ２を記録した際のマップテーブルを示す図であり、（ｃ）はコンテンツ２を記録した際のタイトル管理テーブルを示す図である。
【０１２５】
図１３（ａ）に示すように、記憶部３４０の領域１における物理アドレス「０ｘ０００」を先頭アドレスとしてコンテンツ１（データ容量：ＸＧＢ）が記録されているため、コンテンツ２（データ容量：ＸＧＢ）は、記憶部３４０の領域１における物理アドレス「０ｘ２００」を先頭アドレスとしてコンテンツ１に続けて記録される。このとき、コンテンツ２は、仮想ディスクイメージ上でも、仮想アドレス「０ｘ２５０」を先頭アドレスとしてコンテンツ１に続けて記録される。ディスク１はドライブ部３００に装填されていないため、当然ながらコンテンツ２はディスク１に対して記録されていない。
【０１２６】
コンテンツ２が領域１に記録されると共に、記憶部３４０のエントリ１におけるマップ情報に記録されているマップテーブルも更新される。記憶部３４０の領域１が図１３（ａ）に示す状態のマップテーブルを、図１３（ｂ）に示す。図１３（ｂ）に示すように、図１１（ｂ）に示したマップテーブルに加えて、コンテンツ２における仮想ディスクマップにおける先頭アドレスとして「０ｘ２５０」が設定され、データサイズとしてＸＧＢが設定され、メモリマップにおける先頭アドレスとして「０ｘ２００」が設定され、データサイズとしてＸＧＢが設定される。このとき、領域１からディスク１への書き込みは実行されないため、マップテーブルにおけるコンテンツ２の同期フラグは、コンテンツがマイディスクに記録されていないことを表す「０」となっている。
【０１２７】
また、図１３（ｃ）には、図１３（ｂ）に示したマップテーブルが設定されたときのタイトル管理テーブルの一例を示している。図１３（ｃ）に示すように、タイトル管理テーブルでは、図１１（ｃ）に示したコンテンツ１を示すタイトル１のタイトル管理情報に加えて、コンテンツ２を示すタイトル２のタイトル管理情報が加えられる。このとき、タイトル２は、ディスク１に対して記録されていないため、タイトル２における残りダビング回数は「１０」回のままであり、同期状態は未同期を示す情報である。
【０１２８】
（コンテンツの同期処理）
次に、記憶部３４０に記録されたコンテンツであってマイディスクに対して記録されていないコンテンツを、マイディスクに対して記録する同期処理について、図１４〜図１６（ａ）〜（ｃ）を参照して以下に説明する。
【０１２９】
ディスク１がドライブ部３００に装填されると、ドライブ制御部３２０は、エントリ１のマップテーブルを参照して、同期フラグが「０」であるコンテンツがあるか否かを判定する。例えば、同期フラグが「０」であるコンテンツ２が存在する場合、ドライブ制御部３２０は、記憶部３４０の領域１に記録されているコンテンツ２を、ディスク１に記録する（書き出す）ようにディスクドライブ部３３０に対して指示する。ディスクドライブ部３３０は、ドライブ制御部３２０からの指示を受けて記憶部３４０の領域１に記録されているコンテンツ２をディスク１に書き出す（本書き込み）。これによって、記憶部３４０の領域１に記録されているコンテンツ１およびコンテンツ２がいずれもディスク１にも記録されている状態になる（図１４）。すなわち、コンテンツ２は同期状態となる。
【０１３０】
ドライブ制御部３２０は、ディスク１に対するコンテンツ２の書き出しが完了すると、バックエンド部３００に対してコンテンツ２の同期処理が完了したことを通知する。バックエンド制御部２４０は、この通知を受けて、記憶部２８０におけるディスク１のタイトル管理領域に記録されているタイトル管理テーブルを更新する。
【０１３１】
なお、ディスク１に対するコンテンツ２の書き出し（本書き込み）に失敗すると、ドライブ制御部３２０は、本書き込みに失敗したデータをメモリ１４から読み出し、本書き込みに失敗した領域とは異なる領域に書き込むよう、ディスクドライブ部３３０を制御する。そして、ドライブ制御部３２０は、ディスク１への本書き込みに成功するまでこれを繰り返し、ディスク１への本書き込みに成功した時点で、最初に本書込みに失敗した領域を指定する失敗領域指定情報と、本書き込みに成功した領域を指定する成功領域指定情報とを含む再配置情報をバックエンド部２００に通知する。この通知を受けたバックエンド部２００は、予めコピーされたファイルシステム（通常、ディスク１が装填された時点で、ディスク１からバックエンド部２００内の不揮発性メモリに吸い上げられている）を、この再配置情報に基づいて更新する。
【０１３２】
また、ドライブ制御部３２０は、ディスク１に対するコンテンツ２の書き出しが完了すると、ディスクドライブ部３３０に対して、ディスク１に記録されているコンテンツ２を予約録画するための予約情報の消去を指示する。指示を受けたディスクドライブ部３３０は、ディスク１の予約情報管理領域に記録されているコンテンツ２を予約録画するための予約情報を削除する（図１４）。なお、図１４は、コンテンツの同期処理後の記憶部３４０およびディスク１の状態を示す図である。
【０１３３】
次に、記憶部３４０の領域１に記録されているコンテンツ２をディスク１に書き出した際の記憶部３４０および記憶部２８０の状態について図１５（ａ）〜（ｃ）を参照しつつ以下に説明する。図１５（ａ）〜（ｃ）は、コンテンツ２を同期処理した際の記憶部３４０および記憶部２８０の状態を示す図であり、（ａ）は記憶部３４０の領域１におけるコンテンツの記録状態に対応するディスク１の記録状態の対応関係を示す図であり、（ｂ）はコンテンツ２を同期処理させた際のマップテーブルを示す図であり、（ｃ）はコンテンツ２を同期処理させた際のタイトル管理テーブルを示す図である。
【０１３４】
図１５（ａ）に示すように、仮想ディスクイメージにおいて、コンテンツ２は、仮想アドレス「０ｘ２５０」を先頭アドレスとして記録されている。このとき、ディスク１では、「０ｘ２５０」を先頭アドレスとしてコンテンツ２を記録することができるため、コンテンツ２は、ディスク１のアドレス「０ｘ２５０」を先頭アドレスとしてディスク１に記録される。
【０１３５】
コンテンツ２の同期処理が完了すると、図１５（ｂ）に示すように、エントリ１のマップ情報に記録されているマップテーブルの同期フラグが、コンテンツがマイディスクに記録されていることを表す「１」となる。また、図１５（ｃ）に示すように、記憶部２８０に記録されているディスク１のタイトル管理テーブルにおいて、タイトル２における残りダビング回数が１減算されて「９」回となると共に、同期状態が同期を示す情報に変更される。
【０１３６】
次に、ディスク１において「０ｘ２５０」を先頭アドレスとするコンテンツ（コンテンツ３）が既に記録されている場合のコンテンツ２の同期処理について、図１６（ａ）〜（ｄ）を参照して以下に説明する。
【０１３７】
図１６（ａ）〜（ｄ）は、コンテンツ２を同期処理した際の記憶部３４０および記憶部２８０の状態を示す図であり、（ａ）は仮想ディスクイメージにおけるコンテンツ２の先頭アドレスを先頭アドレスとするコンテンツ３がディスク１に記録されている状態を示す図であり、（ｂ）はコンテンツ２をコンテンツ３に続くように仮想ディスクイメージを変更した状態を示す図であり、（ｃ）はコンテンツ２を同期処理させた際のマップテーブルを示す図であり、（ｄ）はコンテンツ２を同期処理させた際のタイトル管理テーブルを示す図である。
【０１３８】
図１６（ａ）に示すように、仮想ディスクイメージにおけるコンテンツ２の先頭アドレスである「０ｘ２５０」を先頭アドレスとするコンテンツ３が既にディスク１に記録されている場合、ディスク１のアドレス「０ｘ２５０」を先頭アドレスとしてコンテンツ２をディスク１に記録することができない。
【０１３９】
このとき、ドライブ制御部３２０は、記憶部３４０における仮想ディスクイメージを変更することにより、コンテンツ２をディスク１に記録できるようにする。すなわち、ドライブ制御部３２０は、ディスク１においてアドレス「０ｘ２５０」を先頭アドレスとして記録されているコンテンツ３を、仮想ディスクイメージにおいても仮想アドレス「０ｘ２５０」を先頭アドレスとして記録されているように設定し、コンテンツ２をコンテンツ３に続くように仮想アドレス「０ｘ４００」を先頭アドレスとして記録されているように設定する。すなわち、ドライブ制御部３２０は、領域１における仮想ディスクイメージを変更する。これによって、変更された仮想ディスクイメージでは、コンテンツ２の先頭アドレスが「０ｘ４００」となるため、「０ｘ４００」を先頭アドレスとしてディスク１にコンテンツ２を記録することができる。
【０１４０】
このとき、領域１のマップテーブルについても、図１６（ｃ）に示すように変更される。すなわち、仮想ディスクマップにおけるコンテンツ２の先頭アドレスは、「０ｘ４００」となり、コンテンツがマイディスクに記録されていることを表す「１」となる。また、仮想ディスクマップにおいて、先頭アドレスが「０ｘ２５０」であり、コンテンツ容量がＹＧＢのコンテンツ３が登録される。コンテンツ３は、領域１には記録されていないコンテンツであるため、メモリマップには先頭アドレスが記録されず、同期フラグについても記録されない。
【０１４１】
同様に、図１６（ｄ）に示すように、記憶部２８０におけるディスク１のタイトル管理テーブルにおいてもタイトル２に対応付けられた同期状態が同期を表す情報に変更され、コンテンツ３を示すタイトル３に対応付けられた情報（再生時間および再生画質）が登録される。このとき、コンテンツ３は、ディスク１にのみ記録されているコンテンツであり、ダビングすることはできないため、タイトル３における残りダビング回数は表示されない。
【０１４２】
（領域１に記録されているコンテンツの削除）
記憶部３４０における領域１の空き容量が少なくなった場合には、領域１に記録されているコンテンツを削除するようにすればよい。領域１に記録されているコンテンツの削除は、ユーザーの指示により実行されるようにしてもよいし、領域１における空き容量が所定値以下となった場合に自動的に実行されるようにしてもよい。
【０１４３】
図１７は、領域１に記録されていたコンテンツ１およびコンテンツ２を削除した後に、新たにコンテンツ４を録画したときの記憶部３４０およびディスク１の状態を示す図である。なお、図１７は、マイディスクが装填されている状態での録画のため、コンテンツ４はディスク１に対しても記録されている。
【０１４４】
図１７に示す状態、すなわちコンテンツ１およびコンテンツ２を領域１から削除した後に領域１にコンテンツ４を記録したときの記憶部３４０および記憶部２８０の状態について図１８（ａ）〜（ｃ）を参照しつつ以下に説明する。図１８（ａ）〜（ｃ）は、コンテンツ４を録画した際の記憶部３４０および記憶部２８０の状態を示す図であり、（ａ）は記憶部３４０の領域１におけるコンテンツの記録状態に対応するディスク１の記録状態の対応関係を示す図であり、（ｂ）はコンテンツ４を記録した際のマップテーブルを示す図であり、（ｃ）はコンテンツ４を記録した際のタイトル管理テーブルを示す図である。
【０１４５】
ドライブ制御部３２０は、領域１からコンテンツ１およびコンテンツ２が削除されると、記憶部３４０のエントリ１に記録されているマップテーブルにおけるメモリマップからコンテンツ１およびコンテンツ２に関する情報を削除する。また、ドライブ制御部３２０は、コンテンツ１およびコンテンツ２に関連付けられた同期フラグについても削除する。ただし、図１８（ａ）に示すように、コンテンツ１およびコンテンツ２は、仮想ディスクイメージ上においては消去されることなく残されている。すなわち、図１８（ｂ）に示すように、領域１からコンテンツ１およびコンテンツ２を削除したとしても、マップテーブルにおける仮想ディスクマップからはコンテンツ１およびコンテンツ２の情報は削除されることなく残されることになる。
【０１４６】
したがって、ドライブ制御部３２０は、仮想ディスクイメージにおいて既に記録されているコンテンツ２に続くように、すなわち仮想アドレス「０ｘ６５０」を先頭アドレスとしてコンテンツ４を記録するようにディスクドライブ部３３０に指示する。
【０１４７】
また、図１８（ｃ）に示すように、領域１からコンテンツ１およびコンテンツ２が削除されることに伴って、記憶部２８０におけるタイトル管理テーブルも変更される。領域１に記録されていたコンテンツ１およびコンテンツ２が削除されると、バックエンド制御部２４０は、記憶部２８０におけるタイトル管理テーブルにおけるコンテンツ１およびコンテンツ２の残りダビング回数および同期状態を示す情報を削除する。次に、コンテンツ４が領域１に記録されると、バックエンド制御部２４０は、コンテンツ４を示すタイトル（タイトル４）に関する情報をタイトル管理テーブルに登録する。
【０１４８】
＜コンテンツ再生動作＞
次に、レコーダ装置１００におけるコンテンツの再生動作について、図１９〜図２２を参照しつつ以下に説明する。
【０１４９】
コンテンツの再生処理は、操作入力部を介したユーザーからのコンテンツ再生指示を受けて実行される処理である。例えば、表示装置に表示されているタイトルの再生をユーザーが選択すると、バックエンド制御部２４０は、選択されたタイトルにより表されるコンテンツの再生指示を受けたとして当該コンテンツの再生処理を実行する。なお、表示装置に表示されているタイトルは、バックエンド部２００において認識されているタイトルである。バックエンド部２００において認識されているタイトルは、記憶部２８０のタイトル管理領域に記録されているタイトル管理テーブルに登録されているタイトルと言い換えることができる。
【０１５０】
なお、レコーダ装置１００におけるコンテンツの再生動作は、マイディスクが装填されている場合の再生処理と、マイディスクが装填されていない場合の再生処理とに大別することができる。各再生処理について以下に説明する。
【０１５１】
（マイディスクが装填されている場合の再生処理）
マイディスクが装填されている場合の再生処理について、図１９および図２０を参照して以下に説明する。図１９は、コンテンツ１〜３を記録したディスク１が装填されている場合の記憶部３４０および記憶部２８０の状態を示す図である。図２０は、マイディスクが装填されている場合において、再生時にコンテンツが読み出される媒体を模式的に示した図である。
【０１５２】
図１９に示すように、ドライブ部３００には、コンテンツ１〜３の記録されているディスク１が装填されており、記憶部３４０の領域１にコンテンツ１およびコンテンツ２が記録されている。そのため、記憶部２８０のタイトル管理領域のタイトル管理テーブルには、タイトル１〜３に関する情報が記録されている。すなわち、バックエンド部２００では、タイトル１〜３により表されるコンテンツ１〜３を認識することができる。なお、図１９では、タイトル管理テーブルの詳細については省略して示している。
【０１５３】
マイディスクが装填されている場合の再生処理としては、まず、ディスク１および領域１のいずれにも記録されているコンテンツ１を再生する場合の再生処理について説明した後、ディスク１に記録されているが、領域１には記録されていないコンテンツ３を再生する場合の再生処理について説明する。
【０１５４】
バックエンド制御部２４０は、ディスク１に記録されているコンテンツ１を読み出す命令をインターフェース部２９０を介してドライブ部３００に対して出力する。バックエンド制御部２４０からの命令を受けたドライブ制御部３２０は、マップテーブルを参照して、ディスク１に記録されているコンテンツ１が領域１に記録されているか否かを判定する。このとき、コンテンツ１は領域１に記録されているコンテンツであるため、ドライブ制御部３２０は、バックエンド制御部２４０から受けたディスク１からの読み出し命令を、マップテーブルを参照して、領域１からの読み出し命令に変換する。すなわち、ドライブ制御部３２０は、ディスク１のアドレスを、マップテーブルを参照して、領域１の物理アドレスに変換する。
【０１５５】
領域１からコンテンツ１を読み出したドライブ制御部３２０は、読み出したコンテンツ１を、インターフェース部３１０を介してバックエンド部２００に出力する。
【０１５６】
このように、読み出しの対象となるコンテンツがマイディスクにも記憶部３４０にも記録されている場合、図２０に示すように、コンテンツは記憶部３４０から読み出される。
【０１５７】
ディスク１に記録されているが、領域１には記録されていないコンテンツ３を再生する場合も同様に、バックエンド制御部２４０がディスク１に記録されているコンテンツ３を読み出す命令をインターフェース部２９０を介してドライブ部３００に対して出力する。バックエンド制御部２４０からの命令を受けたドライブ制御部３２０は、マップテーブルを参照して、ディスク１に記録されているコンテンツ３が領域１に記録されているか否かを判定する。このとき、コンテンツ３は領域１に記録されていないコンテンツであるため、ドライブ制御部３２０は、バックエンド制御部２４０から受けたディスク１からの読み出し命令にしたがって、ディスクドライブ部３３０に対してコンテンツ３を読み出すように指示する。
【０１５８】
ディスク１からコンテンツ３が読み出されると、ドライブ制御部３２０は、読み出したコンテンツ３を、インターフェース部３１０を介してバックエンド部２００に出力する。
【０１５９】
このように、読み出しの対象となるコンテンツが記憶部３４０に記録されていない場合、図２０に示すように、コンテンツはマイディスクから読み出される。
【０１６０】
（マイディスクが装填されていない場合の再生処理）
続いて、マイディスクが装填されていない場合の再生処理について、図２１および図２２を参照して以下に説明する。図２１は、ドライブ部３００に光ディスクが装填されていない場合の記憶部３４０および記憶部２８０の状態を示す図である。図２２は、マイディスクが装填されていない場合において、再生時にコンテンツが読み出される媒体を模式的に示した図である。
【０１６１】
図２１に示すように、記憶部３４０の領域１には、コンテンツ１およびコンテンツ２が記録されている。しかし、図１９の場合とは異なり、ドライブ部３００には、コンテンツ１〜３の記録されているディスク１が装填されていない。なお、記憶部２８０のタイトル管理領域のタイトル管理テーブルには、タイトル１〜３に関する情報が記録されている。すなわち、バックエンド部２００では、タイトル１〜３により表されるコンテンツ１〜３を認識することができる。なお、図２１では、図１９と同様に、タイトル管理テーブルの詳細については省略して示している。
【０１６２】
図２１に示すような状態の場合、バックエンド部２００において認識しているタイトル１〜３により表されるコンテンツ１〜３のうち、記憶部３４０の領域１に記録されているコンテンツ１およびコンテンツ２については再生することができるが、ディスク１にのみ記録されているコンテンツ３については再生することができない。
【０１６３】
すなわち、図２２に示すように、読み出しの対象となるコンテンツがマイディスクにも記憶部３４０にも記録されている場合には、マイディスクが装填されている場合と同様の処理により、コンテンツは記憶部３４０から読み出される。しかし、ディスク１にのみ記録されているコンテンツについては読み出すことはできない。
【０１６４】
なお、図２２に示すコンテンツ１の読み出し処理は、マイディスクが装填されている場合におけるコンテンツ１の読み出し処理と同様であるため、ここでは説明を省略する。
【０１６５】
＜コンテンツ編集動作＞
次に、レコーダ装置１００におけるコンテンツの編集動作について、図２３および図２４（ａ）および（ｂ）を参照しつつ以下に説明する。
【０１６６】
コンテンツの編集処理は、操作入力部を介したユーザーからのコンテンツ編集指示を受けて実行される処理である。例えば、表示装置に表示されているタイトルの編集をユーザーが選択すると、バックエンド制御部２４０は、選択されたタイトルにより表されるコンテンツの編集指示を受けたとして、ユーザーにより選択されたコンテンツの編集処理を実行する。なお、表示装置に表示されているタイトルは、バックエンド部２００において認識されているタイトルである。バックエンド部２００において認識されているタイトルは、記憶部２８０のタイトル管理領域に記録されているタイトル管理テーブルに登録されているタイトルと言い換えることができる。すなわち、タイトル管理テーブルに登録されているタイトルは、記録されている媒体を問わず編集処理を行うことができる。
【０１６７】
レコーダ装置１００におけるコンテンツ編集動作も、コンテンツ再生処理と同様に、マイディスクが装填されている場合の編集処理と、マイディスクが装填されていない場合の編集処理とに大別することができる。各編集処理について以下に説明する。
【０１６８】
なお、コンテンツの編集処理とは、マイディスクまたは記憶部３４０に記録されているコンテンツの少なくとも一部のデータを変更する処理であり、具体的には、コンテンツにおけるシーン消去（コンテンツデータの一部変更）、コンテンツの削除およびコンテンツにおけるチャプターの追加を含む処理である。なお、ここではコンテンツにおけるシーン消去を例に挙げて説明するが、他の処理であっても同様に処理することができる。
【０１６９】
（マイディスクが装填されている場合の編集処理）
マイディスクが装填されている場合の編集処理について、図１９および図２３を参照して以下に説明する。図２３は、マイディスクが装填されている場合において、コンテンツが編集される媒体を模式的に示した図である。
【０１７０】
図１９に示すように、ドライブ部３００には、コンテンツ１〜３の記録されているディスク１が装填されており、記憶部３４０の領域１にコンテンツ１およびコンテンツ２が記録されている。また、記憶部２８０のタイトル管理領域のタイトル管理テーブルには、タイトル１〜３に関する情報が記録されており、バックエンド部２００では、タイトル１〜３により表されるコンテンツ１〜３を認識することができる。なお、図１９では、タイトル管理テーブルの詳細については省略して示している。
【０１７１】
マイディスクが装填されている場合の再生処理としては、まず、ディスク１および領域１のいずれにも記録されているコンテンツ１を編集する場合の処理について説明した後、ディスク１に記録されているが、領域１には記録されていないコンテンツ３を編集する場合の処理について説明する。
【０１７２】
バックエンド制御部２４０は、ディスク１に記録されているコンテンツ１のデータを変更する命令をインターフェース部２９０を介してドライブ部３００に対して出力する。バックエンド制御部２４０からの命令を受けたドライブ制御部３２０は、マップテーブルを参照して、ディスク１に記録されているコンテンツ１が領域１に記録されているか否かを判定する。このとき、コンテンツ１は領域１に記録されているコンテンツであるため、ドライブ制御部３２０は、バックエンド制御部２４０から受けたディスク１におけるデータを変更する命令を、マップテーブルを参照して、領域１におけるデータを変更する命令に変換する。すなわち、ドライブ制御部３２０は、マップテーブルを参照して、ディスク１のアドレスを、領域１の物理アドレスに変換するため、実際には、領域１に記録されているコンテンツ１のデータが変更されることになる。
【０１７３】
このように、データを変更する対象となるコンテンツがマイディスクにも記憶部３４０にも記録されている場合、図２３に示すように、記憶部３４０に記録されているコンテンツのデータが変更されることになる。
【０１７４】
しかし、このままではディスク１に記録されているコンテンツ１と、領域１に記録されているコンテンツ１とが異なったまま（非同期状態）となってしまうため、ドライブ制御部３２０は、領域１に記録されているコンテンツ１に対して行ったデータの変更をディスク１に記録されているコンテンツ１に対しても反映させる。ディスク１に記録されているコンテンツ１に対する変更の反映は、ディスク１がドライブ部３００から取り出されるまでの間であればいつ行うようにしてもよい。
【０１７５】
ディスク１に記録されているが、領域１には記録されていないコンテンツ３のデータを変更する場合も同様に、バックエンド制御部２４０がディスク１に記録されているコンテンツ３のデータを変更する命令をインターフェース部２９０を介してドライブ部３００に対して出力する。バックエンド制御部２４０からの命令を受けたドライブ制御部３２０は、マップテーブルを参照して、ディスク１に記録されているコンテンツ３が領域１に記録されているか否かを判定する。このとき、コンテンツ３は領域１に記録されていないコンテンツであるため、ドライブ制御部３２０は、バックエンド制御部２４０から受けたディスク１に記録されているコンテンツ３のデータを変更する命令にしたがって、ディスクドライブ部３３０に対してコンテンツ３のデータを変更するように指示する。
【０１７６】
（マイディスクが装填されていない場合の編集処理）
続いて、マイディスクが装填されていない場合のコンテンツの編集処理について、図２１および図２４（ａ）および（ｂ）を参照して以下に説明する。図２４（ａ）および（ｂ）は、マイディスクが装填されていない場合において、コンテンツが編集される媒体を模式的に示した図であり、（ａ）はディスク１が装填されていないときの編集対象となる媒体を示しており、（ｂ）はディスク１が装填されたときの変更箇所のディスク１への反映を示している。
【０１７７】
図２１に示すような状態の場合、バックエンド部２００において認識しているタイトル１〜３により表されるコンテンツ１〜３のうち、記憶部３４０の領域１に記録されているコンテンツ１およびコンテンツ２についてはディスク１が装填されている場合と同様の編集処理を行うことができる。
【０１７８】
すなわち、図２４（ｂ）に示すように、他のレコーダ装置においてディスク１のコンテンツ２が変更されていた場合、ドライブ制御部３２０は、ディスク１におけるコンテンツ２の変更を領域１に記録されているコンテンツ２に対して反映させる。このとき、エントリ１に記録されているマップテーブルについても併せて更新する。
【０１７９】
＜コンテンツコピー動作＞
次に、レコーダ装置１００におけるコンテンツのコピー動作について、図２５（ａ）および（ｂ）を参照しつつ以下に説明する。ここでは、レコーダ装置１００における記憶部３４０内のメモリ内コピー動作を例に挙げて説明する。なお、メモリ内コピー動作とは、レコーダ装置１００におけるメモリ内ダビング動作と言い換えることもできる。図２５（ａ）および（ｂ）は、レコーダ装置１００におけるメモリ内コピー処理を示す図であり、（ａ）は、メモリ内コピー処理後の記憶部３４０の状態を示す図であり、（ｂ）はメモリ内コピー処理後の記憶部２８０におけるタイトル管理領域の状態を示す図である。
【０１８０】
コンテンツのメモリ内コピー処理は、操作入力部を介したユーザーからのコンテンツコピー指示を受けて実行される処理である。例えば、表示装置に表示されているタイトルからユーザーがタイトルを選択し、選択したタイトルをいずれの領域にコピーするのかを決定すると、バックエンド制御部２４０は、選択されたタイトルにより表されるコンテンツを選択された記憶部３４０における領域へコピーする指示を受けたとして当該コンテンツのメモリ内コピー処理を実行する。なお、表示装置に表示されているタイトルは、バックエンド部２００において認識されているタイトルである。バックエンド部２００において認識されているタイトルは、記憶部２８０のタイトル管理領域に記録されているタイトル管理テーブルに登録されているタイトルと言い換えることができる。
【０１８１】
記憶部３４０の領域１に記録されているコンテンツ２を記憶部３４０の領域２にコピーするユーザーからの指示を受けたバックエンド制御部２４０は、ドライブ制御部３２０に対して、領域１に記録されているコンテンツ２を領域２に記録するように指示する。バックエンド制御部２４０からの指示を受けたドライブ制御部３２０は、図２５（ａ）に示すように、コンテンツ２を領域２に記録する。このとき、ドライブ制御部３２０は、エントリ２に記録されているマップテーブルを更新する。なお、領域２におけるコンテンツ２の記録およびそれに伴うマップテーブルの更新については、録画動作において説明した処理と同様であるため、説明を省略する。
【０１８２】
コンテンツ２の領域２への記録が完了すると、バックエンド制御部２４０は、記憶部２８０におけるディスク１のタイトル管理領域に記録されているタイトル管理情報におけるコンテンツ２の残りダビング回数を１減算する。また、記憶部２８０におけるディスク２のタイトル管理領域に記録されているタイトル管理情報におけるコンテンツ２の残りダビング回数を１加算する。これによって、図２５（ｂ）に示すように、ディスク１のタイトル管理領域におけるコンテンツ２の残りダビング回数は「８」となり、ディスク２のタイトル管理領域におけるコンテンツ２の残りダビング回数は「１」となる。
【０１８３】
なお、図２５（ａ）に示すように、ディスク２はドライブ部３００に装填されていないため、領域２に記録されているコンテンツ２の同期状態は、未同期を表す情報である。
【０１８４】
＜マイディスクの登録解除＞
次に、マイディスクの登録解除処理について説明する。ユーザーからのディスク１の登録解除指示を受けたドライブ制御部３２０は、記憶部３４０において記録されている、登録を解除するディスク１に対応付けられた領域を管理する管理情報を消去する。すなわち、エントリにおけるメディアＩＤ情報、メディアキー情報およびマップ情報を削除すると共に、割り当てフラグを、割り当てが行われていないことを示す「０」に変更する。また、領域にデータが記録されている場合には、記録されているデータも消去する。これによって、記憶部３４０におけるエントリは、新たなマイディスクの登録が可能な状態となる。
【０１８５】
また、ユーザーからのディスク１の登録解除指示を受けたバックエンド制御部２４０は、記憶部２８０におけるディスク１のタイトル管理領域に記録されているタイトル管理情報を削除する。これによって、バックエンド部２００において、ディスク１に記録されていたコンテンツを示すタイトルを認識することができなくなる。
【０１８６】
（マイディスクのファイルシステムの利用）
レコーダ装置１００では、マイディスクとして登録されている光ディスクへのデータの書き込みおよび光ディスクからのデータの読み出しには、マイディスクとして登録されている光ディスクから取得したファイルシステムを用いることが好ましい。
【０１８７】
ここで、光ディスクのファイルシステムを利用したデータ管理について、図２６（ａ）〜（ｃ）を参照しつつ以下に説明する。図２６（ａ）〜（ｃ）は、ファイルシステムを用いたデータ管理を示す図であり、（ａ）は記憶部２８０に記録されているファイルシステムの一例を示し、（ｂ）は領域１におけるコンテンツの記録状態に対応するディスク１の記録状態の対応関係を示し、（ｃ）はファイル毎のマップテーブルを示す図である。
【０１８８】
通常、光ディスク内には、光ディスクの種類毎に規格によって定められたファイルシステムが記録されており、そのファイルシステムによって、光ディスクに記録されている各ファイルと各ファイルの記録されているアドレスが関連づけられている。なお、ファイルシステムは、光ディスクの記録領域における先頭部分に記録されていることが多い。
【０１８９】
バックエンド部２００では、データの読み出し、あるいはデータの書き込みの対象となる光ディスクのアドレスを指定するために、光ディスクから取得したファイルシステムを参照する。ファイルシステムは、光ディスクが装填された時に、メディアＩＤなどと共に取得され、バックエンド部２００の揮発性メモリに保持される。また、予期しない電源断などに対応するために、取得したファイルシステムは、記憶部２８０にも保持している（図２６（ａ））。バックエンド部２００では、光ディスクが装填されるたびに光ディスクからファイルシステムを取得し、取得したファイルシステムと自装置に記録されているファイルシステムとを比較して、ファイルの最新の状態が維持されるようにしている。
【０１９０】
すなわち、バックエンド部２００は、マイディスクとして登録されている光ディスクから読み出したファイルシステムと、既に記憶部２８０に記録されているファイルシステム（その光ディスクから直近に読み出したファイルシステム）とを比較することにより、バックエンド部２００は光ディスクに記録されていて記憶部３４０に記録されていないコンテンツの情報（例えば、そのコンテンツの記録されている光ディスクのアドレス、そのコンテンツを示すタイトル情報など）を取得する。
【０１９１】
なお、図２６（ａ）には、ディスク１に関するファイルシステムについてのみ示しているが、記憶部２８０のファイルシステム管理領域には、マイディスクとして登録されているディスクの数だけファイルシステムが記録されている。
【０１９２】
このように、マイディスクとして登録している光ディスクのファイルシステムを記憶部２８０に記録することにより、バックエンド部２００は、光ディスクが装填されていない状態であったとしても、記憶部２８０に記録されているファイルシステムを参照して仮想ディスクイメージ上のファイルへのアクセスが可能となる。すなわち、マイディスクが装填されていない場合であっても、あたかもマイディスクが装填されているかのようにデータを扱うことができる。例えば、記憶部３４０のマップ情報において、アクセス対象とする仮想アドレスに対応する記憶部３４０のアドレスが記録されている場合には、記憶部３４０のアドレスを用いて、当該アドレスに記録されているデータを読み出すことができる。
【０１９３】
さらに、図２６（ｂ）および（ｃ）に示すように、コンテンツ１が複数の断片化されたファイルに分割されて光ディスクに記録されている場合であっても、バックエンド制御部２４０は、記憶部２８０に記録されているファイルシステムにおけるコンテンツ１の配置情報を参照することにより、コンテンツ１に対して的確にアクセスすることができる。
【０１９４】
このように、記憶部３４０に記録されているマップ情報は、本実施形態ではコンテンツごとの配置情報として示しているが、より正確には、図２６（ｃ）に示すように、領域（ファイル）ごとの配置情報を示すものである。
【０１９５】
また、マイディスクの登録解除の際には、ファイルシステム管理領域に記録されているファイルシステムについても、タイトル管理情報と併せて削除される。
【０１９６】
＜表示装置における表示例＞
最後に、レコーダ装置１００に接続された表示装置におけるコンテンツとタイトルリストに記録されている情報との表示例について、図２７を参照しつつ以下に説明する。図２７は、表示装置５００上でのコンテンツおよびタイトルリストに記録されている情報の表示を概略的に示す図である。
【０１９７】
操作入力部を介してユーザーがタイトルリストの表示をレコーダ装置１００に対して指示すると、表示装置５００では、タイトルリストおよびコンテンツが図２７に示すように表示される。
【０１９８】
すなわち、図２７に示すように、表示装置５００における表示画面は、これまで視聴していたコンテンツを引き続き表示するコンテンツ表示部５１０と、タイトルリストを表示するタイトル表示部５２０との２つの画面に分割されることになる。
【０１９９】
タイトルリスト表示部５２０には、図２７に示すように、登録されているマイディスクに対応するタブが表示される。ユーザーがタイトルリストの確認を所望するマイディスクのタブを選択することにより、タイトルリスト表示部５２０には、ユーザーの選択したマイディスクのタイトルリストが表示されることになる。すなわち、記憶部２８０における各マイディスクのタイトル管理領域に記録されているタイトル管理テーブルの情報が表示される。
【０２００】
図２７では、ディスク１のタブを選択したときのタイトルリストを示している。このとき、選択しているディスクを表す情報（アイコン）を表示部５３０に表示することが好ましい。また、ユーザーがタイトルリスト表示部５２０に表示されている各タイトルを選択した場合には、仮選択したタイトルにより示されるコンテンツのサムネイルを表示部５３０に表示することが好ましい。
【０２０１】
（プログラムおよび記録媒体）
第１の実施形態において光ディスクドライブ装置１０に含まれているドライブ制御部１０は、並びに、第２の実施形態においてレコーダ装置１００に含まれているバックエンド制御部２４０およびドライブ制御部３２０は、ハードウェアロジックによって構成してもよいし、次のように、ＣＰＵ（Central Processing Unit）を用いてソフトウェアによって実現してもよい。
【０２０２】
すなわち、上記各制御部は、各機能を実現するプログラムの命令を実行するＭＰＵなどのＣＰＵ、このプログラムを格納したＲＯＭ（Read Only Memory）、上記プログラムを実行可能な形式に展開するＲＡＭ（Random Access Memory）、および、上記プログラムおよび各種データを格納するメモリ等の記憶装置（記録媒体）を備えている。
【０２０３】
そして、本発明の目的は、上記各制御部のプログラムメモリに固定的に担持されている場合に限らず、上記プログラムのプログラムコード（実行形式プログラム、中間コードプログラム、または、ソースプログラム）を記録した記録媒体をレコーダ装置１００に供給し、レコーダ装置１００が上記記録媒体に記録されている上記プログラムコードを読み出して実行することによっても、達成可能である。
【０２０４】
上記記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０２０５】
また、上記各制御部（またはレコーダ装置１００）を通信ネットワークと接続可能に構成しても、本発明の目的を達成できる。この場合、上記のプログラムコードを、通信ネットワークを介して上記各制御部に供給する。この通信ネットワークは上記各制御部にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等であればよい。
【０２０６】
この通信ネットワークを構成する伝送媒体も、プログラムコードを伝送可能な任意の媒体であればよく、特定の構成または種類のものに限定されない。たとえばＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【０２０７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２０８】
本発明は、書き込み遅延を有する記録媒体にデータを記録する記録装置一般に広く適用することができる。例えば、光ディスクにデータを記録する光ディスクドライブ装置などに、取り分け好適に利用することができる。
【符号の説明】
【０２０９】
１０        光ディスクドライブ装置（記録装置）
１１        インターフェース部
１２        ドライブ制御部（仮書込手段、本書込手段、再配置手段）
１３        ディスクドライブ部（第１の記録媒体）
１４        メモリ（第２の記録媒体）
１００      レコーダ装置
２００      バックエンド部
２１０      チューナー部
２２０      エンコーダ部
２３０      ストリーム処理部
２４０      バックエンド制御部
２５０      バッファ部
２６０      デコーダ部
２７０      画像処理部
２８０      記憶部
２９０      インターフェース部
３００      ドライブ部（記録装置）
３１０      インターフェース部
３２０      ドライブ制御部（仮書込手段、本書込手段、再配置手段）
３３０      ディスクドライブ部（第１の記録媒体）
３４０      記憶部（第２の記録媒体）
５００      表示装置
【図１】
2010238336.tif 000003
【図２】
2010238336.tif 000004
【図３】
2010238336.tif 000005
【図４】
2010238336.tif 000006
【図５】
2010238336.tif 000007
【図６】
2010238336.tif 000008
【図７】
2010238336.tif 000009
【図８】
2010238336.tif 000010
【図９】
2010238336.tif 000011
【図１０】
2010238336.tif 000012
【図１１】
2010238336.tif 000013
【図１２】
2010238336.tif 000014
【図１３】
2010238336.tif 000015
【図１４】
2010238336.tif 000016
【図１５】
2010238336.tif 000017
【図１６】
2010238336.tif 000018
【図１７】
2010238336.tif 000019
【図１８】
2010238336.tif 000020
【図１９】
2010238336.tif 000021
【図２０】
2010238336.tif 000022
【図２１】
2010238336.tif 000023
【図２２】
2010238336.tif 000024
【図２３】
2010238336.tif 000025
【図２４】
2010238336.tif 000026
【図２５】
2010238336.tif 000027
【図２６】
2010238336.tif 000028
【図２７】
2010238336.tif 000029